【手続補正書】
【提出日】平成17年2月18日(2005.2.18)
【手続補正１】
【補正対象書類名】明細書
【補正対象項目名】発明の名称
【補正方法】変更
【補正の内容】
【発明の名称】画像表示装置
【手続補正２】
【補正対象書類名】特許請求の範囲
【補正対象項目名】全文
【補正方法】変更
【補正の内容】
【特許請求の範囲】
【請求項１】
画像表示装置において、
入力された映像信号から、少なくとも輝度信号及び色相信号を生成する第１生成手段と、
前記第１生成手段で得られた輝度信号に補正を加える第１補正手段と、
前記第１生成手段で得られた色相信号に補正を加える第２補正手段と、
前記第１補正手段で補正された輝度信号と前記第２補正手段で補正された彩度信号を用いて、赤、青、緑の３原色信号を生成する第２生成手段と、
前記第２生成手段で生成された３原色信号が供給される表示デバイスとを備え、
前記第１補正手段は、前記輝度信号の振幅を補正する手段と、前記輝度信号の直流レベルを補正する手段とを含むことを特徴とする画像表示装置。
【請求項２】
画像表示装置において、
入力された映像信号から、少なくとも輝度信号、色相信号及び彩度信号を生成する第１生成手段と、
前記第１生成手段で得られた輝度信号に補正を加える第１補正手段と、
前記第１生成手段で得られた色相信号に補正を加える第２補正手段と、
前記第１生成手段で得られた彩度信号に補正を加える第３補正手段と、
前記第１補正手段で補正された輝度信号、前記第２補正手段で補正された色相信号、及び前記第３補正手段で補正された彩度信号を用いて、赤、青、緑の３原色信号を生成する第２生成手段と、
前記第２生成手段で生成された３原色信号が供給される表示デバイスとを備え、
前記輝度補正手段は、前記輝度信号の振幅を補正する手段と、前記輝度信号の直流レベルを補正する手段とを含むことを特徴とする画像表示装置。
【請求項３】
請求項１または２に記載の画像表示装置において、前記第１補正手段は、前記第１生成手段で生成された色相信号のうち、所定の色相範囲にある色相信号を、他の色相信号とは独立して補正することを特徴とする画像表示装置。
【請求項４】
請求項２に記載の画像表示装置において、前記第２補正手段は、前記第１生成手段で生成された彩度信号のうち、所定の色相範囲にある彩度信号を、他の色相の彩度信号とは独立して補正することを特徴とする画像表示装置。
【請求項５】
請求項１乃至４のいずれかに記載の画像表示装置において、前記入力映像信号は、赤、青、緑の３原色信号を含む映像信号であることを特徴とする画像表示装置。
【請求項６】
請求項５に記載の画像表示装置において、前記３原色信号を含む映像信号がパソコンからの信号であることを特徴とする画像表示装置。
【請求項７】
請求項１乃至４のいずれかに記載の画像表示装置において、前記入力映像信号は、輝度信号(Ｙ)、及び色差信号(Ｂ-Ｙ、Ｒ-Ｙ)を含む映像信号であることを特徴とする画像表示装置。
【請求項８】
請求項７に記載の画像表示装置において、前記輝度信号及び色差信号を含む映像信号が、ＤＶＤプレーヤまたはセットップボックスから出力された映像信号であることを特徴とする画像表示装置。
【請求項９】
請求項１乃至７に記載の画像表示装置において、前記第２生成手段で生成された３原色信号のうち、少なくとも一つを調整可能な調整手段を更に備えることを特徴とする画像表示装置。
【請求項１０】
請求項１乃至７に記載の画像表示装置において、前記第２生成手段で生成された３原色信号のそれぞれを個別に調整可能な調整手段を更に備えることを特徴とする画像表示装置。
【請求項１１】
請求項１乃至１０のいずれかに記載の画像表示装置において、前記表示デバイスがプラズマ表示素子または液晶表示素子であることを特徴とする画像表示装置。
【手続補正３】
【補正対象書類名】明細書
【補正対象項目名】０００１
【補正方法】変更
【補正の内容】
【０００１】
本発明は、画像表示装置において、色調整の技術に関する。
【手続補正４】
【補正対象書類名】明細書
【補正対象項目名】０００５
【補正方法】変更
【補正の内容】
【０００５】
本発明の目的は、好適に色調整を行うことができる技術を提供することにある。
【手続補正５】
【補正対象書類名】明細書
【補正対象項目名】０００６
【補正方法】変更
【補正の内容】
【０００６】
本発明は、画像表示装置において、入力された映像信号から、少なくとも輝度信号及び色相信号を生成する第１生成手段と、前記第１生成手段で得られた輝度信号に補正を加える第１補正手段と、前記第１生成手段で得られた色相信号に補正を加える第２補正手段と、前記第１補正手段で補正された輝度信号と前記第２補正手段で補正された彩度信号を用いて、赤、青、緑の３原色信号を生成する第２生成手段と、前記第２生成手段で生成された３原色信号が供給される表示デバイスとを備え、前記第１補正手段は、前記輝度信号の振幅を補正する手段と、前記輝度信号の直流レベルを補正する手段とを含むことを特徴とする。
【手続補正６】
【補正対象書類名】明細書
【補正対象項目名】０００７
【補正方法】変更
【補正の内容】
【０００７】
また本発明は、画像表示装置において、画像表示装置において、入力された映像信号から、少なくとも輝度信号、色相信号及び彩度信号を生成する第１生成手段と、前記第１生成手段で得られた輝度信号に補正を加える第１補正手段と、前記第１生成手段で得られた色相信号に補正を加える第２補正手段と、前記第１生成手段で得られた彩度信号に補正を加える第３補正手段と、前記第１補正手段で補正された輝度信号、前記第２補正手段で補正された色相信号、及び前記第３補正手段で補正された彩度信号を用いて、赤、青、緑の３原色信号を生成する第２生成手段と、前記第２生成手段で生成された３原色信号が供給される表示デバイスとを備え、前記輝度補正手段は、前記輝度信号の振幅を補正する手段と、前記輝度信号の直流レベルを補正する手段とを含むことを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００５３
【補正方法】変更
【補正の内容】
【００５３】
以上説明したように、本発明によれば、好適な色調整が可能になる。